(57)【特許請求の範囲】
【請求項１】
台の上面に載置され、前方に釣り糸を繰り出し、前記釣り糸を巻き取る電動リールであって、
リール本体と、
前記リール本体に回転自在に支持された糸巻き用のスプールと、
前記スプールを回転させるモータと、
前記リール本体の下部に着脱自在に装着される第１カバーと、
前記リール本体の下部に前記第１カバーに代えて着脱自在に装着される第２カバーと、
前記第２カバーの下部に着脱自在に装着されるスタンド部材と、
前記第２カバー及び前記スタンド部材に設けられ、前記第２カバーに前記スタンド部材を着脱自在に取り付けるスタンド部材取付手段と、
を備えた電動リール。
【請求項２】
前記リール本体は、下部に設けられ、前記モータに給電するバッテリが収納可能なバッテリ収納部を有し、
前記第１カバー及び前記第２カバーは、前記バッテリ収納部を閉塞するカバー部材である、請求項１に記載の電動リール。
【請求項３】
前記第２カバーは、下部に設けられた第１係止部を有し、
前記スタンド部材は、上部に設けられ、前記第１係止部が係止可能な第１被係止部を有している、請求項１又は２に記載の電動リール。
【請求項４】
前記スタンド部材は、上部に設けられた第２係止部を有し、
前記第２カバーは、下部に設けられ、前記第２係止部が係止可能な第２被係止部を有している、請求項１から３のいずれか１項に記載の電動リール。
【請求項５】
前記第２カバーは、前記リール本体の後側下部に装着され、前端に設けられた第３係止部を有し、
前記リール本体は、前側下部の後端に設けられ、前記第３係止部が弾性係止可能な第３被係止部を有し、
前記第２係止部は、前記第３係止部が前記第３被係止部に係止する方向に押圧するように、前記第２被係止部に装着されている、請求項４に記載の電動リール。
【請求項６】
前記スタンド部材取付手段は、前記第２カバーの下部に設けられた雌ねじ部と、前記スタンド部材を貫通する貫通孔と、前記スタンド部材の下側から装着され前記貫通孔を挿通し前記雌ねじ部に螺合する雄ねじ部を有するねじ部材とを有している、請求項１から５のいずれか１項に記載の電動リール。
【請求項７】
前記スタンド部材取付手段は、前記第２カバーの下部に設けられた第１磁石と、前記スタンド部材の上部に設けられ前記第１磁石と極性が異なる第２磁石とを有している、請求項１から６のいずれか１項に記載の電動リール。
【請求項８】
前記第２カバーは、前記リール本体の後側下部に装着され、
前記リール本体は、前側下部の下面が前記第２カバーの下面より上方に配置され、
前記スタンド部材は、上面と前記リール本体の前側下部の下面との間の隙間に装着可能な緩衝部材を有している、請求項１から７のいずれか１項に記載の電動リール。
【請求項９】
台の上面に載置され、前方に釣り糸を繰り出し、前記釣り糸を巻き取る電動リールであって、
リール本体と、
前記リール本体に回転自在に支持された糸巻き用のスプールと、
前記スプールを回転させるモータと、
前記リール本体の下部に着脱自在に装着可能な第１カバーに代えて、前記リール本体の下部に着脱自在に装着される第２カバーと、
前記第２カバーの下部に着脱自在に装着されるスタンド部材と、
前記第２カバー及び前記スタンド部材に設けられ、前記第２カバーに前記スタンド部材を着脱自在に取り付けるスタンド部材取付手段と、
を備えた電動リール。
【請求項１０】
台の上面に載置され、前方に釣り糸を繰り出し、前記釣り糸を巻き取る電動リールのスタンド部材取付構造であって、
リール本体の下部に着脱自在に装着可能な第１カバーに代えて、前記リール本体の下部に着脱自在に装着される第２カバーと、
前記第２カバーの下部に着脱自在に装着されるスタンド部材と、
前記第２カバー及び前記スタンド部材に設けられ、前記第２カバーに前記スタンド部材を着脱自在に取り付けるスタンド部材取付手段と、
を備えた電動リールのスタンド部材取付構造。
【請求項１１】
前記スタンド部材は、上部に設けられた第２係止部を有し、
前記第２カバーは、下部に設けられた前記第２係止部が係止可能な第２被係止部と、前記リール本体の後側下部に装着された前端に設けられた第３係止部とを有し、
前記第２係止部は、前記第３係止部が、前記リール本体の前側下部の後端に設けられ前記第３係止部が弾性係止可能な第３被係止部に係止する方向に押圧するように、前記第２被係止部に装着されている、請求項１０に記載の電動リールのスタンド部材取付構造。
【請求項１２】
前記スタンド部材取付手段は、前記第２カバーの下部に設けられた雌ねじ部と、前記スタンド部材を貫通する貫通孔と、前記スタンド部材の下側から装着され前記貫通孔を挿通し前記雌ねじ部に螺合する雄ねじ部を有するねじ部材とを有している、請求項１０又は１１に記載の電動リールのスタンド部材取付構造。
【発明の詳細な説明】
【技術分野】
【０００１】
本発明は、電動リール及び電動リールのスタンド部材取付構造、特に、台の上面に載置され、前方に釣り糸を繰り出し、釣り糸を巻き取る電動リール及び電動リールのスタンド部材取付構造に関する。
【背景技術】
【０００２】
釣り用リールは、たとえば、氷結した湖上やドーム船上からワカサギ等の小魚を釣るときに使用される小型の電動リールが知られている。この種の電動リールは、ティップと呼ばれる比較的短く弾力性のある釣竿が装着されるリール本体と、リール本体に配置され釣り糸を巻き取るスプールと、スプールを回転させるモータと、リール本体の側部に配置されモータの駆動をオン、オフするスイッチ操作部とを備えている。このような電動リールでは、操作スイッチをオン操作することによりモータを駆動してスプールを回転させることによって釣り糸を巻き取る。
【０００３】
このような電動リールでは、釣人がリール本体を把持して魚を誘う動作を行ったり、氷結した湖上に据え付けられた台や、台の上に設けられた補助台の上にリール本体を載置して魚がヒットするのを待つ動作を繰り返し行っている（たとえば、特許文献１、２参照）。ここでは、台や補助台の上にリール本体を載置することによって、長時間にわたって釣りを行うことができる。
【先行技術文献】
【特許文献】
【０００４】
【特許文献１】特開２０１０−１５４７８１号公報
【特許文献２】特許第４３１４５９４号公報
【発明の概要】
【発明が解決しようとする課題】
【０００５】
前記従来の電動リールは、台や補助台の上にリール本体を載置しているだけであるので、たとえば、船上から釣りを行うときには、リール本体が台や補助台から転倒したり、落下してしまうおそれがある。そこで、合成樹脂製のリール本体の下部に複数の貫通孔を有する金属製の取付金具を、たとえば、リール本体の下部にタッピングねじを装着することによって固定し、複数の貫通孔に止めねじを装着することによって、木製の台や補助台にねじ止め固定することが考えられる。しかし、リール本体の下部に１度でもタッピングねじを装着してしまうと、所定の位置に貫通孔が形成されてしまうために、釣人の好みに合わせて他の取付金具に交換するのが非常に困難である。
【０００６】
本発明の課題は、電動リールにおいて、釣人の好みに合わせてスタンド部材を容易に交換できるようにすることにある。
【課題を解決するための手段】
【０００７】
発明１に係る電動リールは、リール本体と、スプールと、モータと、第１カバーと、第２カバーと、スタンド部材と、スタンド部材取付手段とを備えている。スプールは、リール本体に回転自在に支持された糸巻き用の部材である。モータは、スプールを回転させるものである。第１カバーは、リール本体の下部に着脱自在に装着される。第２カバーは、リール本体の下部に第１カバーに代えて着脱自在に装着される。スタンド部材は、第２カバーの下部に着脱自在に装着される。スタンド部材取付手段は、第２カバー及びスタンド部材に設けられ、第２カバーにスタンド部材を着脱自在に取り付ける手段である。
【０００８】
この電動リールは、リール本体の下部に着脱自在に装着される第１カバーと、リール本体の下部に第１カバーに代えて着脱自在に装着されスタンド部材が着脱自在に取り付けられる第２カバーとを有している。ここでは、第１カバーと、スタンド部材が取り付けられる専用の第２カバーとを交換することができるので、釣人の好みに合わせてスタンド部材を容易に交換できる。
【０００９】
発明２に係る電動リールは、発明１の電動リールにおいて、リール本体は、下部に設けられ、モータに給電するバッテリが収納可能なバッテリ収納部を有している。第１カバー及び第２カバーは、バッテリ収納部を閉塞するカバー部材である。この場合、第２カバーは、バッテリ収納部を閉塞するバッテリカバーと、スタンド部材が取り付けられる専用のカバーとを兼用できる。
【００１０】
発明３に係る電動リールは、発明１又は２の電動リールにおいて、第２カバーは、下部に設けられた第１係止部を有している。スタンド部材は、上部に設けられ、第１係止部が係止可能な第１被係止部を有している。この場合、第２カバーの下部の第１係止部を、スタンド部材の上部の第１被係止部に係止することによって、第２カバーを容易に着脱できる。
【００１１】
発明４に係る電動リールは、発明１から３のいずれかの電動リールにおいて、スタンド部材は、上部に設けられた第２係止部を有している。第２カバーは、下部に設けられ、第２係止部が係止可能な第２被係止部を有している。この場合、スタンド部材の上部の第２係止部を、第２カバーの下部の第２被係止部に係止することによって、第２カバーの係止が確実になる。
【００１２】
発明５に係る電動リールは、発明４の電動リールにおいて、第２カバーは、リール本体の後側下部に装着され、前端に設けられた第３係止部を有している。リール本体は、前側下部の後端に設けられ、第３係止部が弾性係止可能な第３被係止部を有している。第２係止部は、第３係止部が第３被係止部に係止する方向に押圧するように、第２被係止部に装着されている。この場合、第２カバーの前端の第３係止部を、リール本体の後端の第３被係止部に弾性係止することによって、第２カバーをリール本体に装着固定するものにおいて、スタンド部材の上部の第２係止部を、第３係止部が第３被係止部に係止する方向に押圧するように、第２被係止部に装着しているので、スタンド部材を第２カバーに装着するだけで、第２カバーのリール本体に対する装着固定が強固になる。
【００１３】
発明６に係る電動リールは、発明１から５のいずれかの電動リールにおいて、スタンド部材取付手段は、第２カバーの下部に設けられた雌ねじ部と、スタンド部材を貫通する貫通孔と、スタンド部材の下側から装着され貫通孔を挿通し雌ねじ部に螺合する雄ねじ部を有するねじ部材とを有している。この場合、スタンド部材は第２カバーにねじ部材によって固定されているので、スタンド部材の第２カバーに対する着脱が容易になる。
【００１４】
発明７に係る電動リールは、発明１から６のいずれかの電動リールにおいて、スタンド部材取付手段は、第２カバーの下部に設けられた第１磁石と、スタンド部材の上部に設けられ第１磁石と極性が異なる第２磁石とを有している。この場合、スタンド部材は第２カバーに磁石によって固定されているので、スタンド部材の第２カバーに対する着脱がさらに容易になる。
【００１５】
発明８に係る電動リールは、発明１から７のいずれかの電動リールにおいて、第２カバーは、リール本体の後側下部に装着されている。リール本体は、前側下部の下面が第２カバーの下面より上方に配置されている。スタンド部材は、上面とリール本体の前側下部の下面との間の隙間に装着可能な緩衝部材を有している。この場合、スタンド部材の上面と、リール本体の前側下部の下面との間の隙間に緩衝部材を装着することによって、たとえば雌ねじ部の長さを確保するために第１カバーに比して第２カバーの厚みを厚く形成したとしても、リール本体をスタンド部材の上面に対して水平に配置することができる。
【００１６】
発明９に係る電動リールは、台の上面に載置され、前方に釣り糸を繰り出し、釣り糸を巻き取る電動リールであって、リール本体と、スプールと、モータと、第２カバーと、スタンド部材と、スタンド部材取付手段とを備えている。スプールは、リール本体に回転自在に支持された糸巻き用の部材である。モータは、スプールを回転させるものである。第２カバーは、リール本体の下部に着脱自在に装着可能な第１カバーに代えて、リール本体の下部に着脱自在に装着される。スタンド部材は、第２カバーの下部に着脱自在に装着される。スタンド部材取付手段は、第２カバー及びスタンド部材に設けられ、第２カバーにスタンド部材を着脱自在に取り付ける手段である。この場合、電動リールは、リール本体の下部に第１カバーに代えて着脱自在に装着されスタンド部材が着脱自在に取り付けられる第２カバーを有している。ここでは、第１カバーと、スタンド部材が取り付けられる専用の第２カバーとを交換することができるので、釣人の好みに合わせてスタンド部材を容易に交換できる。
【００１７】
発明１０に係る電動リールのスタンド部材取付構造は、台の上面に載置され、前方に釣り糸を繰り出し、釣り糸を巻き取る電動リールのスタンド部材取付構造であって、第２カバーと、スタンド部材と、スタンド部材取付手段とを備えている。第２カバーは、リール本体の下部に着脱自在に装着可能な第１カバーに代えて、リール本体の下部に着脱自在に装着される。スタンド部材は、第２カバーの下部に着脱自在に装着される。スタンド部材取付手段は、第２カバー及びスタンド部材に設けられ、第２カバーにスタンド部材を着脱自在に取り付ける手段である。この場合、電動リールのスタンド部材取付構造は、リール本体の下部に第１カバーに代えて着脱自在に装着される第２カバーと、第２カバーの下部に着脱自在に装着されるスタンド部材とを有している。ここでは、第１カバーと、スタンド部材が取り付けられる専用の第２カバーとを交換することができるので、釣人の好みに合わせてスタンド部材を容易に交換できる。
【００１８】
発明１１に係る電動リールのスタンド部材取付構造は、発明１０の電動リールのスタンド部材取付構造において、スタンド部材は、上部に設けられた第２係止部を有している。第２カバーは、下部に設けられた第２係止部が係止可能な第２被係止部と、リール本体の後側下部に装着された前端に設けられた第３係止部とを有している。第２係止部は、第３係止部が、リール本体の前側下部の後端に設けられ第３係止部が弾性係止可能な第３被係止部に係止する方向に押圧するように、第２被係止部に装着されている。この場合、第２カバーの前端の第３係止部を、リール本体の後端の第３被係止部に弾性係止することによって、第２カバーをリール本体に装着固定するものにおいて、スタンド部材の上部の第２係止部を、第３係止部が第３被係止部に係止する方向に押圧するように、第２被係止部に装着しているので、スタンド部材を第２カバーに装着するだけで、第２カバーのリール本体に対する装着固定が強固になる。
【００１９】
発明１２に係る電動リールのスタンド部材取付構造は、発明１０又は１１の電動リールのスタンド部材取付構造において、スタンド部材取付手段は、第２カバーの下部に設けられた雌ねじ部と、スタンド部材を貫通する貫通孔と、スタンド部材の下側から装着され貫通孔を挿通し雌ねじ部に螺合する雄ねじ部を有するねじ部材とを有している。この場合、スタンド部材は第２カバーにねじ部材によって固定されているので、スタンド部材の第２カバーに対する着脱が容易になる。
【発明の効果】
【００２０】
本発明によれば、電動リールにおいて、リール本体の下部に着脱自在に装着される第１カバーと、リール本体の下部に第１カバーに代えて着脱自在に装着されスタンド部材が着脱自在に取り付けられる第２カバーとを有しているので、釣人の好みに合わせてスタンド部材を容易に交換できる。
【図面の簡単な説明】
【００２１】
【図１】本発明の一実施形態を採用した電動リールの平面図。
【図２】前記電動リールの右側面図。
【図３】前記電動リールを前方から見たときの斜視図。
【図４】前記電動リールの制御ブロック図。
【図５】上側から見たときの第１カバーの斜視図。
【図６】下側から見たときの前記第１カバーの斜視図。
【図７】前記第１カバーをリール本体に装着したときの背面図。
【図８】上側から見たときの第２カバーの斜視図。
【図９】下側から見たときの前記第２カバーの斜視図。
【図１０】前記第２カバーを前記リール本体に装着したときの背面図。
【図１１】前側から見たときのスタンド部材の斜視図。
【図１２】後側から見たときの前記スタンド部材の斜視図。
【図１３】前記スタンド部材の側面図。
【図１４】前記スタンド部材を前記第２カバーに装着したときの側面断面図。
【図１５】他の実施形態の図１４に相当する図。
【図１６】他の実施形態の図１１に相当する図。
【発明を実施するための形態】
【００２２】
本発明の一実施形態が採用された電動リールは、図１から図３に示すように、たとえば、氷結した湖上やドーム船上からワカサギ等の小魚を釣るときに使用される小型の電動リールである。この電動リールは、ティップと呼ばれる比較的短く弾力性のある釣竿Ｒが前部に装着されるリール本体１と、リール本体１の右上前部に配置され釣り糸を巻き取るスプール２と、リール本体１の内部に配置されスプール２を回転させるモータ３（図４参照）と、リール本体１の右側部及び左側部に配置されモータ３の駆動をオン、オフする第１スイッチ操作部４及び第２スイッチ操作部５と、リール本体１の上面に配置され各種の情報を表示する表示部６と、リール本体１の上面の表示部６の後部に配置されスイッチモード等の切り換え設定を行う第３スイッチ操作部７及び第４スイッチ操作部８と、リール本体１の上面の表示部６の前部に配置されモータ３のスプール２への回転伝達をオン、オフするクラッチ操作部９とを備えている。また、リール本体１の前部には、釣竿Ｒが装着される筒状に突出した釣竿装着部１ａが形成されており、釣竿装着部１ａ及び釣竿Ｒの基端部外周には、釣り糸に設けられたストッパが接触して釣り糸の巻き取りを停止させるストッパガイド１０が着脱自在に装着されている。このような電動リールでは、第１スイッチ操作部４及び第２スイッチ操作部５をオン操作することによりモータ３を駆動してスプール２を回転させることによって釣り糸を巻き取る。なお、この電動リールでは、釣り糸の巻き取りはモータ３の駆動のみによってスプール２を回転させることによって行われ、スプール２を手動で回転させるハンドル等を備えていない。
【００２３】
リール本体１は、図１から図３に示すように、全体を片手で把持可能な大きさとなるように形成され、合成樹脂製の複数のケース部材を組み立てることによって形成された内部に収納空間を有する前後に長い筐状部材である。リール本体１は、図１から図３に示すように、右下前部から前方に突出し釣竿Ｒが装着される円筒状の釣竿装着部１ａと、右上前部が他の部分より凹んで形成されスプール２が配置されるスプール収納凹部１ｂとを有している。
【００２４】
スプール２は、図１から図３に示すように、リール本体１の右上前部が他の部分より凹んで形成されたスプール収納凹部１ｂの側部に装着された図示しないスプール軸に回転可能に支持され、全体がスプール収納凹部１ｂ内に配置されている。スプール２は、外周に釣り糸が巻き付けられる筒状の糸巻胴部と、糸巻胴部の両端に径方向外方に突出して設けられたフランジ部と、フランジ部の径方向に沿って外周部と内周部とを連通するように形成され釣糸係止部２０が装着される装着溝とを有している。スプール軸の先端部には、ナット部材２４がねじ込まれ、Ｏリングによって緩み止めされている。
【００２５】
モータ３（図４参照）は、リール本体１の内部に配置され、モータ３の回転をスプール軸に伝達することによって、スプール２を回転させる。この回転伝達機構内には、図示しないクラッチ機構を有しており、クラッチ操作部９（図１参照）のオン、オフ操作によって、回転伝達がオン、オフされる。
【００２６】
第１スイッチ操作部４は、図１から図３に示すように、リール本体１の右側部に配置され、モータ３の駆動をオン、オフするスイッチである。第２スイッチ操作部５は、図１に示すように、リール本体１の左側部に配置されモータ３の駆動をオン、オフするスイッチである。第１スイッチ操作部４及び第２スイッチ操作部５は、図１に示すように、それぞれリール本体１の左右側部の対称となる位置に配置されている。リール本体１は、全体を片手で把持可能な大きさとなるように形成されている。第１スイッチ操作部４及び第２スイッチ操作部５は、それぞれ親指又は人差し指で操作可能なリール本体の左右側部に配置されている。具体的には、左手で操作する場合には、第１スイッチ操作部４を親指で操作可能であり、第２スイッチ操作部５を人差し指で操作可能である。また、右手で操作する場合には、第１スイッチ操作部４を人差し指で操作可能であり、第２スイッチ操作部５を親指で操作可能である。このような第１スイッチ操作部４及び第２スイッチ操作部５には、モータ３の駆動をさせるスイッチモードとして、寸動スイッチモードと連続スイッチモードとの２つのスイッチモードが割り当てられている。具体的には、寸動スイッチモードは、第１スイッチ操作部４又は第２スイッチ操作部５がオン操作されているときのみモータ３を回転させ、第１スイッチ操作部４又は第２スイッチ操作部５がオン操作されていないときモータ３を停止させるスイッチモードである。また、連続スイッチモードは、第１スイッチ操作部４又は第２スイッチ操作部５が１回オン操作されたときにモータ３を回転させ、第１スイッチ操作部４又は第２スイッチ操作部５が再度１回オン操作されたときにモータ３を停止させるスイッチモードである。そして、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換えるようになっている。このようなスイッチモードの切り換えは、後述するリール制御部３０（図４参照）が第３スイッチ操作部７及び第４スイッチ操作部８を同時押しを検出すると、リール制御部３０が第１スイッチ操作部４及び第２スイッチ操作部５に寸動スイッチモード又は連続スイッチモードの機能を割り当てる制御を行うことによって、スイッチモードを切り換えている。
【００２７】
表示部６は、図１に示すように、リール本体１の上面に配置され、各種の情報を表示するセグメント方式の液晶ディスプレイであって、クラッチ操作部９と第３スイッチ操作部７及び第４スイッチ操作部８との間に配置されている。
【００２８】
第３スイッチ操作部７及び第４スイッチ操作部８は、図１に示すように、リール本体１の上面に配置されスイッチモード等の切り換え設定を行うスイッチである。第３スイッチ操作部７及び第４スイッチ操作部８は、表示部の後部に配置され、右側に第３スイッチ操作部７が位置し、左側に第４スイッチ操作部８が位置するように並べて配置されている。ここでは、第３スイッチ操作部７及び第４スイッチ操作部８を同時押しすることによって、リール本体１右側部に配置された第１スイッチ操作部４及びリール本体１左側部に配置された第２スイッチ操作部５に割り振られた寸動スイッチモード及び連続スイッチモードを逆に切り換える。
【００２９】
リール本体１の内部には、ＣＰＵ、ＲＡＭ、ＲＯＭ、Ｉ／Ｏインターフェイス等を含むマイクロコンピュータを含むリール制御部３０（図４参照）が配置されている。リール制御部３０は、図４に示すように、第１スイッチ操作部４、第２スイッチ操作部５、第３スイッチ操作部７及び第４スイッチ操作部８の各種のスイッチ操作部と、スプール２の回転方向及び回転数（回転位置データ）を検出するためのスプールセンサ４１及びスプールカウンタ４２と、モータ３に流れる電流値を検出する電流値検出部４４と、制御プログラムに従ってモータ３の駆動制御を行うモータ制御部３１と、表示部６の表示制御を行う表示制御部３２と、各種のデータを記憶する記憶部４３と、他の入出力部とが接続されている。スプールセンサ４１は、前後に並べて配置された２つのリードスイッチから構成されている。リードスイッチは、スプール２に装着された２個のマグネットを検出する。この検出パルスをスプールカウンタ４２で計数することでスプール２の回転数を検出できる。また、いずれのリードスイッチが先に検出パルスを発したかによりスプール２の回転方向を検出できる。スプールカウンタ４２は、スプールセンサ４１のオンオフ回数を計数するカウンタであり、この計数値によりスプール回転数に関する回転位置データが得られる。スプールカウンタ４２は、スプール２が正転（糸繰り出し方向の回転）すると計数値が減少し、逆転すると増加する。記憶部４３はたとえばＥＥＰＲＯＭ等の不揮発メモリからなり、学習結果のデータや糸長算出時に使用する各種のデータ等が記憶されている。電流値検出部４４は、モータ３に流れる電流値を検出する電流計測センサである。モータ制御部３１は、スプール２の回転数に応じた所定の位置（たとえば仕掛けが釣竿Ｒの先端部位置、すなわち船縁位置）自動的にモータ３の駆動を停止して釣り糸の巻き取りを停止させる船縁停止機能を実現させている。具体的には、モータ制御部３１は、スプールカウンタ４２により検出されたスプール２の回転数が予め設定されたモータ３の駆動を停止させるスプール２の回転数から所定の範囲（たとえば船縁停止位置から所定の距離）内にあるとき、電流値検出部４４により検出されたモータ３に流れる電流に応じて、モータ３の駆動を停止する制御を行う。
【００３０】
リール本体１の後側下部には、図２及び図３に示すように、モータ３に給電するための図示しないバッテリが収納可能なバッテリ収納部１ｃが設けられている。バッテリ収納部１ｃは、下部及びその周囲が開口する収納凹部であって、バッテリである２つの単４型（ＡＡＡサイズ）の電池が収納可能である。バッテリ収納部１ｃの開口には、第１カバー５０又はスタンド部材７０を取り付け可能な第２カバー６０が選択的に装着されている。なお、図２及び図３では、第１カバー５０が装着されているものを示す。
【００３１】
第１カバー５０は、図２及び図３に示すように、リール本体１の後側下部に設けられたバッテリ収納部１ｃの開口を閉塞するカバー部材であって、リール本体１の後側下部に着脱自在に装着されている。第１カバー５０は、図５から図７に示すように、上方及び前方が開口する合成樹脂製のカバー部材であって、その外形はリール本体１に装着したときにリール本体１の外形に沿うように滑らかに湾曲している。第１カバー５０は、本体部材５０ａと、本体部材５０ａの後側端部の上面に上方に突出して形成された第１係止部５０ｂと、本体部材５０ａの前側端部の上面に上方に突出してから下方に湾曲しさらに前方に突出して形成された第２係止部５０ｃと、本体部材５０ａの後側の下面の下方に外形が略楕円形になるように僅かに突出し周囲に外形が矩形の第２緩衝部材９２が装着される突出部５０ｄとを有している。
【００３２】
第１係止部５０ｂは、図５から図７に示すように、本体部材５０ａの後側端部の上面に上方に突出して形成された突起部であって、バッテリ収納部１ｃの後側端部のリール本体１に凹んで形成された第１被係止部１ｄ（図７参照）に係止可能である。第１係止部５０ｂは、先端外形が矩形の係止突起であり、第１被係止部１ｄは、第１係止部５０ｂが係止可能な内形が矩形の係止凹部である。第１係止部５０ｂ及び第１被係止部１ｄは、第１カバー５０をリール本体１に装着するときに、最初に係止される部分である。
【００３３】
第２係止部５０ｃは、図５から図７に示すように、本体部材５０ａの前側端部の上面に上方に突出してから下方に湾曲し、さらに前方に突出して形成された板状の弾性係止部である。第２係止部５０ｃの前方に突出した先端部は、バッテリ収納部１ｃの前側端部のリール本体１の後端に凹んで形成された第２被係止部１ｅ（請求項５の第３被係止部の一例、７参照）に弾性係止される。第２被係止部１ｅは、リール本体１の前側下面１ｇより凹んで形成された段差部であって、この段差部に第２係止部５０ｃが前方に付勢されて弾性係止するようになっている。第２係止部５０ｃの上方に突出した部分と下方に湾曲した部分は、第２被係止部１ｅの後側に第２被係止部１ｅよりさらに凹んだ溝部１ｆに収納されており、これらの部分によって、第２係止部５０ｃの前方に突出した先端部が前側に付勢されるようになっている。
【００３４】
第２緩衝部材９２は、内形が略楕円形になるように貫通する貫通孔９２ａが形成されており、この貫通孔９２ａには、本体部材５０ａの突出部５０ｄが挿通している。第２緩衝部材９２の厚みは、突出部５０ｄの突出高さより大きくなるように形成されており、このため、第１カバー５０をリール本体１に装着した状態で台に載置するとき、第２緩衝部材９２の下面が設置面となる。また、リール本体１の前側下面１ｇの中央部には、外形が矩形の第１緩衝部材９１が接着固定されており、第１緩衝部材９１は、第１緩衝部材９１の下面と第２緩衝部材９２の下面とが同一高さとなるように配置されている。これにより、第１カバー５０をリール本体１に装着した状態で台に載置するとき、リール本体１を水平に配置できる。第２緩衝部材９２は、図６及び図７に示すように、本体部材５０ａの後側の下面の中央部に接着固定されている。
【００３５】
第１カバー５０をリール本体１に装着するには、まず、図７に示すように、第１カバー５０の後端の第１係止部５０ｂをリール本体１の後端の第１被係止部１ｄに係止する。そして、図７に示すように、第１カバー５０の前端の第２係止部５０ｃをリール本体１の第２被係止部１ｅに弾性係止することによって、第１カバー５０をリール本体１に装着固定する。第１カバー５０をリール本体１から取り外すには、取り付けと逆の動作を行えばよい。
【００３６】
このような第１カバー５０は、バッテリ収納部１ｃの開口を閉塞するためのカバー部材であったが、この第１カバー５０に代えて、バッテリ収納部１ｃの開口を閉塞するとともに、スタンド部材７０を取り付け可能な第２カバー６０を選択的に装着することが可能である。
【００３７】
第２カバー６０は、図８から図１０に示すように、上方及び前方が開口する合成樹脂製のカバー部材であって、その外形はリール本体１に装着したときにリール本体１の外形に沿うように滑らかに湾曲している。第２カバー６０は、本体部材６０ａと、本体部材６０ａの後側端部の上面に上方に突出して形成された第３係止部６０ｂと、本体部材６０ａの前側端部の上面に上方に突出してから下方に湾曲しさらに前方に突出して形成された第４係止部６０ｃ（請求項５の第３係止部の一例）と、第４係止部６０ｃの上方に突出した部分と下方に湾曲した部分との間に形成され後述するスタンド部材７０の第６係止部７０ｃ（請求項４の第２係止部の一例）が係止される第３被係止部６０ｄ（請求項４の第２被係止部の一例）と、本体部材６０ａの第４係止部６０ｃに近接した前側の下部の中央部を内形が円形になるように貫通する貫通孔６０ｅと、本体部材６０ａの後側端部の下面に後方に突出して形成され後述するスタンド部材７０の第４被係止部７０ｄ（請求項３の第１被係止部の一例）に係止されるた第５係止部６０ｆ（請求項３の第１係止部の一例、図９参照）とを有している。
【００３８】
第３係止部６０ｂは、図８から図１０に示すように、本体部材６０ａの後側端部の上面に上方に突出して形成された突起部であって、バッテリ収納部１ｃの後側端部のリール本体１に凹んで形成された第１被係止部１ｄ（図７参照）に係止可能である。第３係止部６０ｂは、先端外形が矩形の係止突起である。第３係止部６０ｂ及び第１被係止部１ｄは、第２カバー６０をリール本体１に装着するときに、最初に係止される部分である。
【００３９】
第４係止部６０ｃは、図８から図１０に示すように、本体部材６０ａの前側端部の上面に上方に突出してから下方に湾曲し、さらに前方に突出して形成された板状の弾性係止部である。第４係止部６０ｃの前方に突出した先端部は、バッテリ収納部１ｃの前側端部のリール本体１の後端に凹んで形成された第２被係止部１ｅ（図７参照）の段差部に第４係止部６０ｃが前方に付勢されて弾性係止される。第４係止部６０ｃの上方に突出した部分と下方に湾曲した部分は、溝部１ｆに収納されており、これらの部分によって、第４係止部６０ｃの前方に突出した先端部が前側に付勢されるようになっている。
【００４０】
第３被係止部６０ｄは、第４係止部６０ｃの上方に突出した部分と下方に湾曲した部分との間に形成された溝部であって、図１４に示すように、スタンド部材７０の第６係止部７０ｃが係止される。スタンド部材７０の第６係止部７０ｃは、第２カバー６０の第４係止部６０ｃがリール本体１の第２被係止部１ｅに係止する方向（図１４右方向）に押圧するように、第２カバー６０の第３被係止部６０ｄに装着されている。第３被係止部６０ｄは、第４係止部６０ｃの上方に突出した部分と下方に湾曲した部分との間の前後方向の幅が、スタンド部材７０の第６係止部７０ｃの側面視楔形の外形形状に沿うように、上方に向かって小さくなるように形成されており、第３被係止部６０ｄにスタンド部材７０の第６係止部７０ｃを挿入すると、第３被係止部６０ｄの幅が前後方向に広がり、これによって、第２カバー６０の第４係止部６０ｃがリール本体１の第２被係止部１ｅに係止する方向（図１４右方向）に押圧される。
【００４１】
貫通孔６０ｅは、図８から図１０に示すように、本体部材６０ａの第４係止部６０ｃに近接した前側の下部の中央部を内形が円形になるように貫通する孔である。貫通孔６０ｅには、図１４に示すように、内周に雌ねじ８１ａを有する金属製の雌ねじ部８１が固定されており、この雌ねじ８１ａにスタンド部材７０の下側から後述するスタンド部材７０の貫通孔７０ｂを挿通したねじ部材８２の雄ねじ８２ｃを螺合させることによって、スタンド部材７０を第２カバー６０に装着固定している。雌ねじ部８１は、図１４に示すように、金属製のインサートナットであって、合成樹脂製の第２カバー６０の上側から貫通孔６０ｅに圧入固定されている。ねじ部材８２は、外周にローレット加工が施された大径の頭部８２ａと、頭部８２ａより小径に形成され頭部８２ａの中央部から延びる胴部８２ｂと、胴部８２ｂの先端部に形成され雌ねじ部８１の雌ねじ８１ａに螺合可能な雄ねじ８２ｃとを有している。なお、ここでは、スタンド部材７０を第２カバー６０に取り付けるスタンド部材取付手段８０は、雌ねじ部８１と、スタンド部材７０の貫通孔７０ｂと、ねじ部材８２とで構成されている。
【００４２】
第５係止部６０ｆは、図９及び図１０に示すように、本体部材６０ａの後側端部のした面に後方に突出して形成された突起部であって、スタンド部材７０の後側端部の上面に内形が矩形になるように凹んで形成された第４被係止部７０ｄ（図１１及び図１２参照）に係止可能である。第５係止部６０ｆは、先端外形が矩形かつ内部に矩形の貫通孔を有する後方に突出した係止突起である。第５係止部６０ｆ及び第４被係止部７０ｄは、スタンド部材７０を第２カバー６０に装着するときに、最初に係止される部分である。
【００４３】
なお、第２カバー６０には、第１カバー５０に接着固定される第２緩衝部材９２に相当するものが設けられていない。これは、第２カバー６０の厚みが、雌ねじ部８１の長さを十分に確保するために、第１カバー５０の厚みより厚く形成されているからである。具体的には、第２カバー６０の厚みは、第１カバー５０の厚みより第２緩衝部材９２の厚みだけ厚く形成されている。ここでは、図１０に示すように、スタンド部材７０の上面と、リール本体１の前側下面１ｇとの間の隙間に第１緩衝部材９１を装着され、第１緩衝部材９１は、第１緩衝部材９１の下面と第２カバー６０の下面とが同一高さとなるように配置されている。これにより、第２カバー６０をリール本体１に装着した状態で台に載置するとき、リール本体１を水平に配置できる。
【００４４】
第２カバー６０をリール本体１に装着するには、まず、図１０に示すように、第２カバー６０の後端の第３係止部６０ｂをリール本体１の後端の第１被係止部１ｄに係止する。そして、図１０に示すように、第２カバー６０の前端の第４係止部６０ｃをリール本体１の第２被係止部１ｅに弾性係止することによって、第２カバー６０をリール本体１に装着固定する。第２カバー６０をリール本体１から取り外すには、取り付けと逆の動作を行えばよい。
【００４５】
スタンド部材７０は、図１１から図１３に示すように、リールを台の上に水平に固定するための３つの脚部７０ｅを有するスタンドである。スタンド部材７０は、前後に延びる本体部材７０ａと、本体部材７０ａの中間部よりやや前側位置に本体部材７０ａの上下方向に貫通する貫通孔７０ｂ（図１１及び図１２参照）と、本体部材７０ａの貫通孔７０ｂに近接した貫通孔７０ｂの前側位置の上面に上方に側面視楔形の外形形状となるように突出し第２カバー６０の第３被係止部６０ｄに係止される第６係止部７０ｃと、本体部材７０ａの後端部に凹んで形成され第２カバー６０の第５係止部６０ｆが係止される第４被係止部７０ｄと、本体部材７０ａの前端から左右両側に斜め下方に２つ延びるとともに本体部材７０ａの後端から後側に斜め下方に１つ延びる３つの脚部７０ｅと、脚部７０ｅの下端部に形成され図示しない外形が円形の緩衝部材が装着される装着孔７０ｆとを有している。
【００４６】
貫通孔７０ｂは、図１１、図１２及び図１４に示すように、本体部材７０ａの中間部よりやや前側位置かつ第６係止部７０ｃに近接した第６係止部７０ｃより後側位置に設けられ、本体部材７０ａの上下方向に貫通する内形が円形の貫通孔である。貫通孔７０ｂは、図１４に示すように、ねじ部材８２の頭部８２ａ及び胴部８２ｂが挿通可能に、頭部８２ａ及び胴部８２ｂの外径より大きい内径を有する貫通孔である。貫通孔７０ｂの下方の開口付近には、胴部８２ｂの外径に近い内径を有するフランジ部を有している。貫通孔７０ｂは、第２カバー６０にスタンド部材７０を装着したときに、第２カバー６０の貫通孔６０ｅに固定された雌ねじ部８１にねじ部材８２が螺合可能となるように、雌ねじ部８１と同心になるように形成されている。ここでは、第２カバー６０の貫通孔６０ｅに固定された雌ねじ部８１の雌ねじ８１ａにスタンド部材７０の下側からスタンド部材７０の貫通孔７０ｂを挿通したねじ部材８２の雄ねじ８２ｃを螺合させることによって、スタンド部材７０を第２カバー６０に装着固定している。
【００４７】
第６係止部７０ｃは、図１１から図１４に示すように、本体部材７０ａの貫通孔７０ｂに近接した貫通孔７０ｂの前側位置の上面に上方に側面視楔形の外形形状となるように突出し、第２カバー６０の第３被係止部６０ｄ（図１４参照）に係止される突出部である。第６係止部７０ｃは、第２カバー６０の第４係止部６０ｃがリール本体１の第２被係止部１ｅに係止する方向（図１４右方向）に押圧するように、第２カバー６０の第３被係止部６０ｄに装着されている。第３被係止部６０ｄは、前述したように、第４係止部６０ｃの上方に突出した部分と下方に湾曲した部分との間の前後方向の幅が、スタンド部材７０の第６係止部７０ｃの側面視楔形の外形形状に沿うように、上方に向かって小さくなるように形成されており、第３被係止部６０ｄに第６係止部７０ｃを挿入すると、第３被係止部６０ｄの幅が前後方向に広がり、これによって、第２カバー６０の第４係止部６０ｃがリール本体１の第２被係止部１ｅに係止する方向（図１４右方向）に押圧される。
【００４８】
第４被係止部７０ｄは、図１１から図１３に示すように、本体部材７０ａの後端部に凹んで形成され第２カバー６０の第５係止部６０ｆが係止される係止凹部である。第５係止部６０ｆは、前述したように、先端外形が矩形かつ内部に矩形の貫通孔を有する後方に突出した係止突起であり、第４被係止部７０ｄは、第５係止部６０ｆが係止可能に内形が矩形となるように凹んで形成されている。
【００４９】
このようなスタンド部材７０をリール本体１に装着するには、まず、リール本体１に第２カバー６０を装着し、第２カバー６０にスタンド部材７０を装着する。スタンド部材７０を第２カバー６０に装着するには、まず、第２カバー６０の後端の第５係止部６０ｆをスタンド部材７０の後端の第４被係止部７０ｄに係止する。同時に、スタンド部材７０の第６係止部７０ｃを第２カバー６０の第３被係止部６０ｄに係止する。この状態で、図１４に示すように、スタンド部材７０の下側からねじ部材８２をスタンド部材７０の貫通孔７０ｂを挿通し、ねじ部材８２の雄ねじ８２ｃを第２カバー６０の貫通孔６０ｅに固定された雌ねじ部８１の雌ねじ８１ａに螺合することによって、スタンド部材７０を第２カバー６０に装着固定する。スタンド部材７０を第２カバー６０から取り外すには、取り付けと逆の動作を行えばよい。
【００５０】
この電動リールでは、リール本体１の下部に着脱自在に装着される第１カバー５０と、リール本体１の下部に第１カバー５０に代えて着脱自在に装着されスタンド部材７０が着脱自在に取り付けられるスタンド部材７０取付専用の第２カバー６０とを有している。ここでは、第１カバー５０と、スタンド部材７０が取り付けられる専用の第２カバー６０とを交換することができるので、釣人の好みに合わせてスタンド部材７０を容易に交換することができる。
【００５１】
〔他の実施形態〕
（ａ）  前記実施形態では、ワカサギ等の小魚を釣るときに使用される小型の電動リールを例にあげたが、電動リールの大きさや形状はこれに限定されるものではない。また、釣竿Ｒは、比較的短い長さの弾力性のあるティップであったが、釣竿Ｒの長さや形状はこれに限定されるものではない。
【００５２】
（ｂ）  前記実施形態では、スタンド部材取付手段８０は、雌ねじ部８１と、スタンド部材７０の貫通孔７０ｂと、ねじ部材８２とで構成されていたが、これに限定されるものではなく、図１５に示すように、第２カバー６０の下部の装着凹部６０ｇに固定された第１磁石８３と、スタンド部材７０の上部の装着凹部７０ｇに固定され第１磁石８３と極性が異なる第２磁石８４とを有していてもよい。たとえば、第１磁石８３を下側がＮ極となるように配置し、第２磁石８４を上側がＳ極となるように配置することによって、スタンド部材７０の第２カバー６０に対する着脱を容易に行うことができる。
【００５３】
（ｃ）  前記実施形態では、スタンド部材７０は、３つの脚部７０ｅを有するスタンドであったが、図１６に示すように、３つの脚部７０ｅを設けずに、本体部材７０ａの下面を台の上面に平置きするようにしてもよい。ここでは、スタンド部材７０は、本体部材７０ａの前端部両側の２箇所と本体部材７０ａの後端部の１箇所とに設けられた３つの装着孔７０ｆを有する外形が略三角形状の部材であって、本体部材７０ａの両側部には、２つの前端部両側の装着孔７０ｆと本体部材７０ａの後端部の装着孔７０ｆとをそれぞれ結ぶ２つの連結部７０ｈが形成されており、本体部材７０ａと連結部７０ｈとの間にはそれぞれ空洞部が形成されている。ここでは、前記実施形態の３つの脚部７０ｅを有するスタンドと、３つの脚部７０ｅを有していないスタンドとを釣人の好みに合わせて交換するこｔができる。
【符号の説明】
【００５４】
１  リール本体
１ａ  釣竿装着部
１ｂ  スプール収納凹部
１ｃ  バッテリ収納部
１ｄ  第１被係止部
１ｅ  第２被係止部
１ｆ  溝部
１ｇ  前側下面
２  スプール
３  モータ
４  第１スイッチ操作部
５  第２スイッチ操作部
６  表示部
７  第３スイッチ操作部
８  第４スイッチ操作部
９  クラッチ操作部
１０  ストッパガイド
２０  釣糸係止部
２４  ナット部材
３０  リール制御部
３１  モータ制御部
３２  表示制御部
４１  スプールセンサ
４２  スプールカウンタ
４３  記憶部
４４  電流値検出部
５０  第１カバー
５０ａ  本体部材
５０ｂ  第１係止部
５０ｃ  第２係止部
５０ｄ  突出部
６０  第２カバー
６０ａ  本体部材
６０ｂ  第３係止部
６０ｃ  第４係止部
６０ｄ  第３被係止部
６０ｅ  貫通孔
６０ｆ  第５係止部
６０ｇ  装着凹部
７０  スタンド部材
７０ａ  本体部材
７０ｂ  貫通孔
７０ｃ  第６係止部
７０ｄ  第４被係止部
７０ｅ  脚部
７０ｆ  装着孔
７０ｇ  装着凹部
７０ｈ  連結部
８０  スタンド部材取付手段
８１  雌ねじ部
８１ａ  雌ねじ
８２  ねじ部材
８２ａ  頭部
８２ｂ  胴部
８２ｃ  雄ねじ
８３  第１磁石
８４  第２磁石
９１  第１緩衝部材
９２  第２緩衝部材
９２ａ  貫通孔
Ｒ  釣竿
【図１】
0005826621.tif 000002
【図２】
0005826621.tif 000003
【図３】
0005826621.tif 000004
【図４】
0005826621.tif 000005
【図５】
0005826621.tif 000006
【図６】
0005826621.tif 000007
【図７】
0005826621.tif 000008
【図８】
0005826621.tif 000009
【図９】
0005826621.tif 000010
【図１０】
0005826621.tif 000011
【図１１】
0005826621.tif 000012
【図１２】
0005826621.tif 000013
【図１３】
0005826621.tif 000014
【図１４】
0005826621.tif 000015
【図１５】
0005826621.tif 000016
【図１６】
0005826621.tif 000017